(57)【要約】【課題】部品点数を削減し構造を簡単にすることができ、かつ気密、水密性能を確保することができる建具を提供すること。【解決手段】固定障子５０の縦框５３に設けた気密材５３１が縦枠１３の中間部見付け片１３３に当接して気密ラインが形成され、この気密ラインよりも室内空間寄りの位置で縦框５３がビス５７に固着されて固定障子５０が固定部材５６および縦枠１３に固定されるとともに、ビス５７が貫通する縦框５３の室内側側片部５３２の表裏両面が室外空間に露出せず貫通位置に風雨がかかることがないので、サッシ窓１の嵌め殺し窓部１Ｂにおける気密性および水密性を確保することができる。また、固定障子５０と窓枠１０との気密ラインを固定障子５０の室内側に設けたシングルタイトの気密構造としたことで、気密材５３１等の部品を最小限にして部品点数が削減できるとともに、固定障子５０や窓枠１０の構造が簡単化できる。【選択図】図４
2007126851.tif 000002
【特許請求の範囲】
【請求項１】
外壁開口部に固定される枠体と、この枠体内部に固定される固定障子とを備え、
前記枠体には、見付け方向内側に突出した見付け片と、この見付け片よりも室内側にて当該枠体に取り付けられて前記固定障子を固定する固定部材とが設けられ、
前記固定障子は、上下左右の框材と、これらの框材で囲まれた内部に嵌め込まれた面材とを有して構成され、前記框材の室内側側面が前記見付け片の室外側側面に気密材を介して当接されるとともに、この気密材の当接位置よりも見付け方向内側にて前記框材が前記固定部材に固着具を介して固定され、
前記上下左右の框材のうち、少なくとも前記固定部材に固定される框材には、表裏両面ともに室外空間に直接露出しない被固定片部が設けられ、この被固定片部を貫通して前記固着具が框材に固着されている建具。
【請求項２】
前記上下左右の框材は、それぞれ見付け方向内側に開口した断面略コ字形を形成する室内側側片部、室外側側片部および見込み片部を有して構成され、これらの室内側側片部と室外側側片部との間に気密保持材を介して前記面材が保持されており、
前記被固定片部は、前記框材の室内側側片部にて構成され、この室内側側片部を貫通する前記固着具の先端は、前記室内側側片部、室外側側片部および見込み片部と、前記面材または気密保持材とで囲まれた空間に位置して設けられている請求項１に記載の建具。
【請求項３】
前記固着具は、前記固定部材を貫通して前記被固定片部に螺合されるビスで構成されるか、または前記固定部材に固着される副固定部材とこの副固定部材を貫通して前記被固定片部に螺合されるビスとで構成されている請求項１または請求項２に記載の建具。
【請求項４】
前記枠体は、上枠、下枠、および左右の縦枠を有した窓枠と、この窓枠の内部を上下および／または左右に仕切る横材および縦材のうち少なくとも一方とを有して構成されており、
前記固定障子は、前記上枠、下枠、縦枠、横材および縦材のいずれかに前記気密材を介して前記上下左右の框材を当接して前記仕切られた区画内に配置されるとともに、前記左右の框材が当接する前記左右の縦枠および前記縦材のいずれかに取り付けた前記固定部材によって当該左右の框材が固定されている請求項１から請求項３のいずれかに記載の建具。
【発明の詳細な説明】
【技術分野】
【０００１】
本発明は、建具に関し、詳しくは、外壁開口部に固定される枠体と、この枠体内部に固定される固定障子とを備えた建具に関する。
【背景技術】
【０００２】
住宅等の外壁開口部に設けられる建具（サッシ窓）として、上下一対の障子を備えた上げ下げ窓があり、その室外側障子（固定障子）を窓枠に固定する固定構造が提案されている（例えば、特許文献１参照）。
この固定構造では、固定障子の縦框が接続片を介して縦枠に設けられた副枠に固定されるとともに、縦框の室内側および室外側にそれぞれ設けられた気密材が、副枠の見込み方向中間部および室外側に形成された突片に当接して気密、水密が図られるようになっている。そして、固定障子を固定する接続片は、室内外の気密材の間に位置する縦框の側端縁にビス止め固定されるとともに、副枠の見込み方向中間部突片よりも室外側にビス止め固定されている。
【０００３】
【特許文献１】実公平６−３４５４５号公報
【発明の開示】
【発明が解決しようとする課題】
【０００４】
しかしながら、特許文献１に記載されたような従来の固定構造では、室内外二重の気密材（ダブルタイト）が必須であり、部品点数が多くなるとともに、固定障子の框材の断面や縦枠（副枠）の断面が複雑になり、製造コストが増加してしまうという問題がある。
そして、従来の固定構造において、固定障子の室内側の気密材のみによる気密構造（シングルタイト）を実現しようとすると、この気密材よりも室外側の室外空間に接続片のビス止め位置が露出してしまうこととなるため、これらのビス孔から外気や雨水が框内部や室内空間に入る可能性があり、気密性や水密性の点で問題である。
【０００５】
本発明の目的は、部品点数を削減し構造を簡単にすることができ、かつ気密、水密性能を確保することができる建具を提供することにある。
【課題を解決するための手段】
【０００６】
本発明の建具は、外壁開口部に固定される枠体と、この枠体内部に固定される固定障子とを備え、前記枠体には、見付け方向内側に突出した見付け片と、この見付け片よりも室内側にて当該枠体に取り付けられて前記固定障子を固定する固定部材とが設けられ、前記固定障子は、上下左右の框材と、これらの框材で囲まれた内部に嵌め込まれた面材とを有して構成され、前記框材の室内側側面が前記見付け片の室外側側面に気密材を介して当接されるとともに、この気密材の当接位置よりも見付け方向内側にて前記框材が前記固定部材に固着具を介して固定され、前記上下左右の框材のうち、少なくとも前記固定部材に固定される框材には、表裏両面ともに室外空間に直接露出しない被固定片部が設けられ、この被固定片部を貫通して前記固着具が框材に固着されていることを特徴とする。
【０００７】
ここで、本発明の建具としては、前記固定障子のみを有して構成されたは嵌め殺し窓の他に、前記固定障子と併せて可動障子や可動面材等を有して構成されたものでもよく、また前記固定障子とは相違する固定障子や固定面材等を有して構成されたものでもよい。そして、可動障子や可動面材等を有する場合には、可動障子等が上下または左右にスライド開閉自在に設けられた上げ下げ窓や片引き窓であってもよく、また突き出し形式や開き形式、内倒し形式、辷出し形式等の任意の開閉形式で開閉可能に可動障子等が設けられていてもよい。
また、表裏両面ともに室外空間に直接露出しない被固定片部としては、面材を保持する面材保持部の室内側側面や、框材に中空部（ホロー部）が設けられる場合には中空部の室内側側面、さらには框材から室内側に突出した突片などが例示できる。そして、「室外空間に直接露出しない」とは、室外空間における風雨等が直接かからなければよく、例えば框材に外気導入孔等が設けられて面材保持部内部や中空部内部等に外気が導入される場合であっても、この外気導入孔等が固定部材への固定位置から所定距離だけ離れていれば、室外空間に直接露出するものではない。
【０００８】
以上の本発明によれば、固定障子の室内側側面と枠体の見付け片の室外側側面とが気密材を介して当接されて気密ラインが形成されるとともに、被固定片部を貫通する固着具を框材に固着して固定障子が固定部材に固定されるので、この気密ラインよりも室内空間寄りの位置である気密材の当接位置よりも見付け方向内側において、固定障子が固定部材に固定され、かつ貫通された被固定片部の表裏両面が室外空間に露出しないため、固着具としてビス等を用いて固定障子にビス孔をあけたとしても、このビス孔が室外空間に露出することがなく貫通位置に風雨がかかることがないので、気密性および水密性を確保することができる。従って、固定障子の室内側におけるシングルタイトの気密構造が採用可能になって、部品点数が削減できるとともに、固定障子や枠体の構造が簡単化できる。
【０００９】
この際、本発明の建具では、前記上下左右の框材は、それぞれ見付け方向内側に開口した断面略コ字形を形成する室内側側片部、室外側側片部および見込み片部を有して構成され、これらの室内側側片部と室外側側片部との間に気密保持材を介して前記面材が保持されており、前記被固定片部は、前記框材の室内側側片部にて構成され、この室内側側片部を貫通する前記固着具の先端は、前記室内側側片部、室外側側片部および見込み片部と、前記面材または気密保持材とで囲まれた空間に位置して設けられていることが好ましい。
このような構成によれば、室内側側片部、室外側側片部および見込み片部から断面略コ字形に形成された面材保持部のうち、室内側側片部を被固定片部として固着具で貫通し、固着具の先端を面材保持部と面材または気密保持材とで囲まれた空間に位置させることで、室内側側片部を貫通する貫通孔が室外空間に露出しないようにできる。従って、中空部や室内側への突片等を框材に設けなくても、通常、框材が有する面材保持部に固着具を固着するだけでよく、框材の構造をより一層簡単化することができる。
【００１０】
さらに、本発明の建具では、前記固着具は、前記固定部材を貫通して前記被固定片部に螺合されるビスで構成されるか、または前記固定部材に固着される副固定部材とこの副固定部材を貫通して前記被固定片部に螺合されるビスとで構成されていることが好ましい。
このような構成によれば、固着具として一般的なビスを用いることで固定作業の容易化が図られるとともに、必要に応じて副固定部材を用いることで、各種サイズの建具に対応させることができて固定部材の共通化を図ることができる。さらに、副固定部材を予め被固定片部に固着してから固定部材に固着するようにし、副固定部材の形態を適宜設定することで、固定部材と副固定部材とのビス止め方向が作業しやすい向きに設定可能になり、固定障子の固定作業がさらに容易にできる。
【００１１】
また、本発明の建具では、前記枠体は、上枠、下枠、および左右の縦枠を有した窓枠と、この窓枠の内部を上下および／または左右に仕切る横材および縦材のうち少なくとも一方とを有して構成されており、前記固定障子は、前記上枠、下枠、縦枠、横材および縦材のいずれかに前記気密材を介して前記上下左右の框材を当接して前記仕切られた区画内に配置されるとともに、前記左右の框材が当接する前記左右の縦枠および前記縦材のいずれかに取り付けた前記固定部材によって当該左右の框材が固定されていることが好ましい。
このような構成によれば、上枠、下枠、縦枠や横材、縦材に囲まれた区画内に固定障子を固定する場合、つまり固定障子の周囲と枠体との間に固定のための余分なスペースが確保できない場合であっても、前述のように枠体の見付け片よりも室内側に固定部材を取り付け、この固定部材に固定障子を固定することで、室内側から固定作業を実施することができ、枠体や固定障子に複雑な加工を施すことなく、固定障子を固定することができる。
【発明を実施するための最良の形態】
【００１２】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１３】
〔第１実施形態〕
図１は、本発明の第１実施形態に係る建具であるサッシ窓１を示す縦断面図である。図２および図３は、それぞれサッシ窓１を示す横断面図であり、図２は、上げ下げ窓部１Ａを示す横断面図であり、図３は、嵌め殺し窓部１Ｂを示す横断面図である。図４は、嵌め殺し窓部１Ｂにおける固定障子５０の固定構造を示す横断面図である。
図１〜図３において、サッシ窓１は、戸建て住宅等の建物の外壁開口部に設けられて建物の室内空間と室外空間とを仕切る建具であって、上枠１１、下枠１２、および左右の縦枠１３を四周枠組みした内部を横材１４（無目）で上下に仕切った窓枠１０（枠体）を備えて構成されている。窓枠１０の内部のうち、横材１４の上側の区画が上げ下げ窓部１Ａとされ、この上げ下げ窓部１Ａには、上部障子２０、下部障子３０および網戸４０が設けられ、横材１４の下側の区画が嵌め殺し窓部１Ｂとされ、この嵌め殺し窓部１Ｂには、固定障子５０が設けられている。
【００１４】
上部障子２０および下部障子３０は、それぞれ上框２１，３１、下框２２，３２、および左右の縦框２３，３３を四周框組みした内部に、ガラスパネル（複層ガラス）２４，３４を嵌め込んで構成されている。上部障子２０は、窓枠１０の上枠１１および縦枠１３に位置決めされて固定された固定障子であり、下部障子３０よりも室外側に設けられている。下部障子３０は、窓枠１０の縦枠１３に案内され、上げ下げ窓部１Ａ内を上部障子２０の室内側に沿って上下スライド開閉可能に支持された可動障子である。これらの上部障子２０の下框２２と下部障子３０の上框３１とが見込み方向に重なって上げ下げ窓１が閉じられるようになっており、下部障子３０の上框３１略中央部に設けられたクレセント錠（不図示）と、上部障子２０の下框２２に設けられた錠受け（不図示）とを係合させることで、上部障子２０および下部障子３０（上げ下げ窓部１Ａ）が施錠されるようになっている。
【００１５】
窓枠１０の縦枠１３は、見込み方向に延びる見込み片部１３１と、この見込み片部１３１の室内側、中間部、および室外側からそれぞれ見付け方向内側に延びる室内側見付け片１３２、中間部見付け片１３３、および室外側見付け片１３４とを有して形成されている。そして、下部障子３０は、左右の縦框３３の上端部に設けられたラッチ装置（不図示）と、下部障子３０の下端部に連結されたスライド部材３５とが、縦枠１３の室内側見付け片１３２および中間部見付け片１３３間に案内されることで上下スライド可能に構成されている。また、上部障子２０は、その上端部に取り付けた位置決め部材２５が上枠１１に位置決めされるとともに、縦枠１３の中間部見付け片１３３および室外側見付け片１３４間に設けられる固定装置２６によって、下端部が支持されることで窓枠１０に固定されている。また、上部障子２０の上框２１、下框２２および縦框２３の見付け方向外端室内側側面には、それぞれ気密材が取り付けられており、図２に示すように、縦框２３の気密材２３１は、縦枠１３の中間部見付け片１３３先端の室外側側面に当接するようになっている。
【００１６】
次に、固定障子５０は、上框５１、下框５２、および左右の縦框５３を四周框組みした内部に、ガラスパネル（複層ガラス）５４を嵌め込んで構成されており、下框５２以外の各部材は上部障子２０と共通化されている。この固定障子５０は、下框５２に設けたセッティングブロック５５（図１参照）を下枠１２に載置して位置決めされ、横材１４の室外側に設けた気密材が上框５１の室内側面に当接されるとともに、図３、４に示すように、左右の縦框５３が固定部材５６およびビス５７（固着具）を介してそれぞれ左右の縦枠１３に固定されている。そして、縦枠１３の室内側見付け片１３２および中間部見付け片１３３間には、縦枠１３に沿って延びるカバー材１３５が係止されており、嵌め殺し窓部１Ｂの高さ全域（下枠１２から横材１４まで）に渡って室内側見付け片１３２と中間部見付け片１３３との隙間がカバー材１３５で覆われて隠されるとともに、固定部材５６およびビス５７もカバー材１３５で覆われて室内側から見えないようになっている。
【００１７】
固定部材５６は、図４に示すように、金属板材から曲げ加工によって形成された断面略Ｌ字形のピース材であり、縦枠１３の見込み片部１３１内側面に沿った支持片部５６１と、この支持片部５６１から折れ曲がり縦枠１３の中間部見付け片１３３室内側側面に沿って延びる延出片部５６２とを有して形成されている。そして、固定部材５６は、支持片部５６１がビス５６３によって見込み片部１３１に固定されることで、縦枠１３の見込み片部１３１および中間部見付け片１３３に密接して移動不能に縦枠１３に取り付けられるようになっている。また、延出片部５６２は、縦枠１３の中間部見付け片１３３先端よりも見付け方向内側（図４の右側）に突出するような長さ寸法で形成されており、この中間部見付け片１３３よりも突出した位置において、ビス５７が延出片部５６２を貫通するとともに固定障子５０の縦框５３に螺合して固着されている。
【００１８】
このような固定部材５６およびビス５７が固着される固定障子５０の縦框５３は、室内側側片部５３２、室外側側片部５３３および見込み片部５３４を有し、見付け方向内側に開口した断面略コ字形に形成されている。そして、前記上部障子２０の縦框２３と同様に、室内側側片部５３２と見込み片部５３４との交差位置である見付け方向外端室内側側面に気密材５３１が取り付けられ、この気密材５３１が縦枠１３の中間部見付け片１３３先端の室外側側面に当接するようになっている。また、固定障子５０のガラスパネル５４は、縦框５３の室内側側片部５３２と室外側側片部５３３との間にガスケット（気密保持材）５４１を介して保持されており、縦框５３には、室内側側片部５３２、室外側側片部５３３および見込み片部５３４と、ガスケット５４１とで囲まれた非室外空間５３５が形成されている。つまり、縦框５３の室内側側片部５３２は、表裏両面ともに室外空間に直接露出しない被固定片部である。
【００１９】
そして、固定部材５６に縦框５３を固着するビス５７は、気密材５３１よりも見付け方向内側（図４の右側、室内空間側）で室内側側片部５３２を室内側から貫通して螺合されるとともに、このビス５７の先端は、非室外空間５３５に位置するようになっている。さらに、ビス５７には、固定部材５６の延出片部５６２と縦框５３の室内側側片部５３２との距離が所定寸法以下にならないように、縦框５３を位置決めする位置決め部５７１が設けられている。従って、ビス５７を締め付けることで、縦框５３が室内側に引き寄せられ、気密材５３１が縦枠１３の中間部見付け片１３３に押圧されるとともに、所定の押圧力以上が得られる位置まで締め付けた状態で位置決め部５７１が縦框５３の室内側側片部５３２に当接し、この当接した位置以上にビス５７を締めすぎることが防止できるようになっている。
【００２０】
このような本実施形態によれば、以下のような効果がある。
（１）すなわち、固定障子５０の縦框５３に設けた気密材５３１が縦枠１３の中間部見付け片１３３に当接して気密ラインが形成され、この気密ラインよりも室内空間寄りの位置で縦框５３がビス５７に固着されて固定障子５０が固定部材５６および縦枠１３に固定されるので、ビス５７が螺合する縦框５３のビス孔が室外空間に露出することがなく、サッシ窓１の嵌め殺し窓部１Ｂにおける気密性および水密性を確保することができる。
【００２１】
（２）また、固定障子５０と窓枠１０との気密ラインを固定障子５０の室内側に設けたシングルタイトの気密構造としたことで、気密材５３１や、その当接片等の部品を最小限にして部品点数が削減できるとともに、固定障子５０や窓枠１０の構造が簡単化できる。
【００２２】
（３）さらに、縦框５３に螺合するビス５７の先端を非室外空間５３５に位置させることで、室内側側片部５３２（被固定片部）を貫通するビス孔が室外空間に露出しないようにできる。また、固定部材５６の支持片部５６１を見込み片部１３１に固定するビス５６３が縦枠１３の中間部見付け片１３３よりも室内側に設けられているので、このビス５６３が螺合するビス孔も室外空間に露出しないようにでき、このビス孔における気密、水密性能も確保することができる。
【００２３】
（４）また、下枠１２、左右の縦枠１３および横材１４で囲まれた区画である嵌め殺し窓部１Ｂ内に固定障子５０を固定する際に、固定障子５０の周囲と窓枠１０との間に固定のための余分なスペースが確保できなくても、室内側から固定部材５６に固定障子５０を固定するビス止め作業を実施することができ、窓枠１０や固定障子５０の各框材５１，５２，５３に複雑な加工を施すことなく、固定障子５０を容易に固定することができる。
【００２４】
〔第２実施形態〕
次に、本発明の第２実施形態について図５および図６に基づいて説明する。
図５および図６は、それぞれ第２実施形態に係る建具における固定障子５０の固定構造を示す横断面図である。
本実施形態における固定障子５０の固定構造は、固着具の構成が前記第１実施形態と相違するもので、他の構成は第１実施形態と略同様である。以下、相違点について詳しく説明する。
【００２５】
図５に示す固定障子５０の固定構造は、前記第１実施形態と略同様の固定部材５６Ａと、縦框５３の室内側側片部５３２（被固定片部）との間に介挿される副固定部材５８を有して構成されている。この副固定部材５８は、断面略コ字形の金属製ピース材であって、ビス５８１で固定部材５６Ａの延出片部５６２に固着されるとともに、ビス５８２で縦框５３の室内側側片部５３２に固着されるようになっている。そして、副固定部材５８の見込み方向寸法は、縦枠１３に取り付けた固定部材５６Ａの延出片部５６２の位置と、縦框５３の室内側側片部５３２の所定位置、つまり、気密材５３１が縦枠１３の中間部見付け片１３３に所定の押圧力で当接する位置とに基づいて設定されている。さらに、副固定部材５８と縦框５３の室内側側片部５３２とを固着するビス５８２の先端は、縦框５３の非室外空間５３５に位置するようになっている。
【００２６】
一方、図６に示す固定障子５０の固定構造は、延出片部５６２の先端部が室内側に折れ曲がった折曲部５６４を有した固定部材５６Ｂと、縦框５３の室内側側片部５３２（被固定片部）とを連結する副固定部材５９を有して構成されている。この副固定部材５９は、断面略Ｌ字形の金属製ピース材であって、ビス５９１で固定部材５６Ｂの折曲部５６４に固着されるとともに、ビス５９２で縦框５３の室内側側片部５３２に固着されるようになっている。そして、副固定部材５９のビス５９１は、縦框５３の気密材５３１が縦枠１３の中間部見付け片１３３に所定の押圧力で当接する位置で折曲部５６４に固着されるようになっている。さらに、副固定部材５９と縦框５３の室内側側片部５３２とを固着するビス５９２の先端は、縦框５３の非室外空間５３５に位置するようになっている。
【００２７】
このような本実施形態によれば、前述の（１）〜（４）の効果と略同様の効果に加えて以下のような効果がある。
（５）すなわち、副固定部材５８，５９を用いて固定部材５６Ａ，５６Ｂと縦框５３の室内側側片部５３２とを固着することで、この副固定部材５８，５９の見込み寸法やビス孔位置を適宜設定することで、各種サイズのサッシ窓１に対応させることができて固定部材５６Ａ，５６Ｂおよび固定構造の共通化を図ることができる。
【００２８】
（６）また、副固定部材５８，５９を予め縦框５３の室内側側片部５３２に固着してから、固定障子５０を建て込んで副固定部材５８，５９を固定部材５６Ａ，５６Ｂに固着するようにすれば、見込み方向室内側寄りの位置で固着作業を実施することができ、作業が一層容易に実施できる。また、副固定部材５８，５９の形態を適宜選定することで、固定部材５６Ａ，５６Ｂとのビス止め方向が作業しやすい向きに設定可能になり、固定障子５０の固定作業がさらに容易にできる。
【００２９】
なお、本発明は、前記実施形態に限定されるものではなく、本発明の目的を達成できる他の構成等を含み、以下に示すような変形等も本発明に含まれる。
例えば、前記実施形態においては、窓枠１０内部を横材１４で上下に仕切り、横材１４の下側の嵌め殺し窓部１Ｂに固定障子５０を固定したが、これに限らず、窓枠内部を仕切らずに窓枠内部全体に固定障子を配置した嵌め殺し窓を構成してもよく、また窓枠内部を左右や上下左右に仕切った区画内に固定障子を配置してもよい。また、窓枠１０内に上下の障子を有するとともに一方の障子を当該窓枠内に固定したシングルハングタイプの上げ下げ窓において、当該固定障子の固定構造として本発明を採用してもよい。
さらに、前記実施形態では、上げ下げ窓部１Ａに固定された上部障子２０と上下スライド開閉可能な下部障子３０とで上げ下げ窓を構成したが、この障子の開閉形式は、上げ下げ形式に限らず、左右スライド形式でもよく、また突出し形式や内倒し形式、開き形式、辷出し形式等であってもよい。
【００３０】
また、前記実施形態では、固定部材５６と縦框５３の室内側側片部５３２とを固着するビス５７の先端、あるいは副固定部材５８，５９と室内側側片部５３２とを固着するビス５８２，５９２の先端を、縦框５３の室内側側片部５３２、室外側側片部５３３および見込み片部５３４と、ガスケット５４１とで囲まれた非室外空間５３５に位置させたが、これに限らず、次の図７に示すように、各ビス５７，５８２，５９２の先端を、縦框５３の中空部（ホロー部）に位置させてもよい。すなわち、縦框５３は、見込み片部５３４と対向して室内側側片部５３２と室外側側片部５３３とを連結する仕切り片部５３６を有して形成され、室内側側片部５３２、室外側側片部５３３、見込み片部５３４および仕切り片部５３６で囲まれた中空部によって非室外空間５３７が形成されている。従って、非室外空間５３７にビス先端を位置させることで、ビス孔が室外空間に露出することがなく、気密性および水密性を確保することができる。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３２】
【図１】本発明の第１実施形態に係る建具を示す縦断面図である。
【図２】前記建具を示す横断面図である。
【図３】前記建具を示す横断面図である。
【図４】前記建具における固定障子の固定構造を示す横断面図である。
【図５】本発明の第２実施形態における固定障子の固定構造を示す横断面図である。
【図６】前記第２実施形態における図５とは相違する固定構造を示す横断面図である。
【図７】本発明の変形例に係る固定障子の固定構造を示す横断面図である。
【符号の説明】
【００３３】
１０…枠体である窓枠、１１…上枠、１２…下枠、１３…縦枠、１４…横材、５０…固定障子、５１…上框、５２…下框、５３…縦框、５４…面材であるガラスパネル、５６，５６Ａ，５６Ｂ…固定部材、５７…固着具であるビス、５８，５９…固着具である副固定部材、１３３…中間部見付け片、５３１…気密材、５３２…被固定片部である室内側側片部、５３３…室外側側片部、５３４…見込み片部、５３５，５３７…非室外空間、５４１…気密保持材であるガスケット。
【図１】
2007126851.tif 000003
【図２】
2007126851.tif 000004
【図３】
2007126851.tif 000005
【図４】
2007126851.tif 000006
【図５】
2007126851.tif 000007
【図６】
2007126851.tif 000008
【図７】
2007126851.tif 000009